【手続補正書】
【提出日】平成15年7月8日(2003.7.8)
【手続補正１】
【補正対象書類名】明細書
【補正対象項目名】特許請求の範囲
【補正方法】変更
【補正の内容】
【特許請求の範囲】
【請求項１】
内側壁にドアーライナー（１６）が屈曲形成されたドアー（６）と、
貯蔵室（Ｓ）を形成するインナーケース（４）の内部開放側の縁端に縦方向に複数個の冷気吐出口を有して形成されて冷気を貯蔵室（Ｓ）の左側から前記ドアー（６）方向に吐出させる左側冷気ダクト（２０）と、
該左側冷気ダクタ（２０）と対応する前記インナーケース（４）の内部開放側の縁端に縦方向に複数個の冷気吐出口を有して形成されて冷気を貯蔵室（Ｓ）の右側からドアー（６）方向に吐出させる右側冷気ダクト（２２）と、
冷却装置から生成された冷気を前記貯蔵室（Ｓ）に送風させる送風手段と、
該送風手段によって送風される冷気を前記左側冷気ダクト（２０）と前記右側冷気ダクト（２２）とに分岐して誘導する分岐手段と、を包含して構成されることを特徴とする冷蔵庫の冷気流路装置。
【請求項２】
上記左側冷気ダクト（２０）は、上記インナーケース（４）の左側拡大部（８）の内部側壁に垂直方向に冷気を誘導するように切削形成されて、その一方側に貯蔵室の左側から冷気を吐出させる複数の第１冷気吐出口（３２）が穿孔形成される第２ダクトカバー（３０）が被覆されることを特徴とする請求項１記載の冷蔵庫の冷気流路装置。
【請求項３】
上記右側冷気ダクト（２２）は、上記インナーケース（４）の右側拡大部（９）の内部側壁に垂直方向に冷気を誘導するように切削形成されて、その一方側に貯蔵室の右側から冷気を吐出させる複数の第２冷気吐出口（３６）が穿孔形成される第２ダクトカバー（３４）が被覆されることを特徴とする請求項１記載の冷蔵庫の冷気流路装置。
【請求項４】
上記第１及び第２ダクトカバー（３０、３４）は、その断面が直角に屈曲形成されて、上記ドアーライナー（１６）とインナーケース（４）の拡大部（８、９）間の隙間を遮断するように前記インナーケースの拡大部（８、９）から貯蔵室内部に突成されることを特徴とする請求項２及び３記載の冷蔵庫の冷気流路装置。
【請求項５】
上記第１及び第２ダクトカバー（３０、３４）は、上記インナーケース（４）の左側及び右側から夫々貯蔵室（Ｓ）内部方向に断面チャンネル状に突出形成されて、その突出面が上記ドアーライナー（１６）とインナーケース（４）の拡大部間の隙間を遮断させ、その突出表面に複数の冷気吐出口が穿孔形成されることを特徴とする請求項２から４までの何れか一項に記載の冷蔵庫の冷気流路装置。
【請求項６】
上記分岐手段は、上記インナーケース（４）の上方内部に、上記冷凍装置から冷気が流入される供給流路（１３）と、該供給流路（１３）と前記左側冷気ダクト（２０）間に連結されて該左側冷気ダクト（２０）に冷気を供給する左側分岐流路（１７）と、前記供給流路（１３）と前記右側冷気ダクト（２２）間に連結される右側分岐流路（１５）と、が形成されて構成されることを特徴とする請求項１記載の冷蔵庫の冷気流路装置。
【請求項７】
内方側にドアーライナー（１６）が屈曲されたドアー（６）と、
貯蔵室（Ｓ）を形成するインナーケース（４）の内部開放側の縁端に縦方向に複数個の冷気吐出口を有して形成されて冷気を貯蔵室（Ｓ）の左側からドアー（６）方向に吐出させる左側冷気ダクト（２０）と、
該左側ダクタ（２０）と対応する前記インナーケース（４）の内部開放側の縁端に縦方向に複数個の冷気吐出口を有して形成されて冷気を貯蔵室（Ｓ）の右側からドアー（６）方向に吐出させる右側冷気ダクト（２２）と、
前記ドアーライナー（１６）に形成されて前記左側冷気ダクト（２０）又は右側冷気ダクト（２２）から冷気の供給を受けて前記貯蔵室（Ｓ）に冷気を吐出させるドアー冷気ダクト（２６）と、
冷却装置から生成された冷気を貯蔵室（Ｓ）に送風させる送風手段と、
該送風手段によって送風される冷気を左側冷気ダクト（２０）と右側冷気ダクト（２２）とに分岐して誘導する分岐手段と、を包含して構成されることを特徴とする冷蔵庫の冷気流路装置。
【請求項８】
上記冷蔵庫の冷気流路装置には、上記右側冷気ダクト（２２）と前記ドアー冷気ダクト（２６）間に連結されて右側冷気ダクト（２２）からドアー冷気ダクト（２６）に流れる冷気を開閉させる切換バルブ手段（２８）が追加されて構成されることを特徴とする請求項７記載の冷蔵庫の冷気流路装置。
【請求項９】
上記左側冷気ダクト（２０）と前記右側冷気ダクト（２２）中何れか一つに上記ドアー冷気ダクト（２６）に冷気を供給する排出通路（４８）が形成されることを特徴とする請求項７記載の冷蔵庫の冷気流路装置。
【請求項１０】
上記ドアー冷気ダクト（２６）は、上記ドアー内方側壁に横方向に形成されて、その外周面に冷気をドアー側の貯蔵物に排出させる複数の第４冷気吐出口（４４）が穿孔形成されて、その内側端に上記右側冷気ダクト（２２）の排出通路（４８）と連結されて冷気が供給される供給通路（４６）が形成されることを特徴とする請求項７記載の冷蔵庫の冷気流路装置。
【請求項１１】
上記切換バルブ手段（２８）は、上記右側冷気ダクト（２２）の排出通路（４８）の下方側に回動自在にヒンジ軸支される回動ロッド（５０）と、該回動ロッド（５０）の一方側に装着されて一緒に回動しながら前記排出通路（４８）を開閉させる切換シャッター（５６）と、前記回動ロッド（５０）の先端に装着されて使用者が排出通路（４８）を開閉するために回動ロッド（５０）を回動させる切換ハンドル（５８）と、を包含して構成されることを特徴とする請求項８記載の冷蔵庫の冷気流路装置。
【請求項１２】
上記切換シャッター（５６）は、上記吐出通路（４８）よりも直径が大きい円板状に形成されることを特徴とする請求項１１記載の冷蔵庫の冷気流路装置。
【請求項１３】
上記インナーケース（４）の左右側冷気ダクト（２０、２２）の後方側の両方側面に夫々設置されて各貯蔵室の棚毎の冷気を吸入する複数個の冷気吸入口が形成された吸入ダクトと、該吸入ダクトを通って吸入された貯蔵室の冷気を蒸発室測に移動させる冷気吸入流路が形成されたバリアーと、を更に包含して構成されることを特徴とする請求項１又は７記載の冷蔵庫の冷気流路装置。
【請求項１４】
貯蔵室（Ｓ）を形成するインナーケース（４）の開放側の縁端に縦方向に複数個の冷気吐出口を有して設置されて冷気を貯蔵室の左側からドアー方向に吐出させる左側冷気ダクト（２２）と、
前記インナーケース（４）の開放側の縁端に縦方向に複数個の冷気吐出口を有して形成されて冷気を貯蔵室の右側からドアー方向に吐出させる右側冷気ダクト（２２）と、
前記ドアーに設置されて前記左側冷気ダクト又は右側冷気ダクトから冷気の供給を受けて前記ドアー側に冷気を吐出させるドアー冷気ダクトと、
前記インナーケース（４）の後方に縦方向に複数個の冷気吐出口を有して設置されて冷気を貯蔵室の後方からドアー方向に吐出させる後方冷気ダクトと、
冷却装置から生成された冷気を貯蔵室に送風させる送風手段と、
該送風手段によって送風される冷気を左側冷気ダクトと右側冷気ダクトとに分岐して誘導する分岐手段と、を包含して構成されることを特徴とする冷蔵庫の冷気流路装置。
【請求項１５】
貯蔵室の左側壁に垂直に配設され、冷気を前記貯蔵室の左側からドアー方向に吐出させ、複数個の冷気吐出口が前記ドアーに隣接した位置に形成される左側ダクトカバーを有する左側冷気ダクトと、
前記貯蔵室の右側壁に垂直に配設され、冷気を前記貯蔵室の右側から前記ドアー方向に吐出させ、複数個の冷気吐出口が前記ドアーに隣接した位置に形成される右側ダクトカバーを有する右側冷気ダクトと、
前記貯蔵室の後方側に配設され、前記貯蔵室の後方から前記ドアー方向に冷気を吐出させる後方冷気ダクトと、
冷凍システムから生成された冷気を前記貯蔵室に送風させる送風手段と、
該送風手段によって送風される冷気をそれら左側冷気ダクト、右側冷気ダクト及び後方冷気ダクトに分岐して誘導する分岐手段と、を包含して構成されることを特徴とする冷気流路装置。
【手続補正２】
【補正対象書類名】明細書
【補正対象項目名】００１６
【補正方法】変更
【補正の内容】
【００１６】
又、本発明に係る冷気流路装置においては、貯蔵室を形成するインナーケースの開放側の縁端に縦方向に複数個の冷気吐出口を有して設置されて冷気を貯蔵室の左側からドアー方向に吐出させる左側冷気ダクトと、前記インナーケースの開放側の縁端に縦方向に複数個の冷気吐出口を有して形成されて冷気を貯蔵室の右側からドアー方向に吐出させる右側冷気ダクトと、前記ドアーに設置されて前記左側冷気ダクト又は右側冷気ダクトから冷気の供給を受けて前記ドアー側に冷気を吐出させるドアー冷気ダクトと、前記インナーケースの後方に縦方向に複数個の冷気吐出口を有して設置されて冷気を貯蔵室の後方からドアー方向に吐出させる後方冷気ダクトと、冷却装置から生成された冷気を貯蔵室に送風させる送風手段と、該送風手段により送風される冷気を左側冷気ダクトと右側冷気ダクトとに分岐して誘導する分岐手段と、を包含して構成されることを特徴とする。
又、本発明に係る冷気流路装置においては、貯蔵室の左側壁に垂直に配設され、冷気を前記貯蔵室の左側からドアー方向に吐出させ、複数個の冷気吐出口が前記ドアーに隣接した位置に形成される左側ダクトカバーを有する左側冷気ダクトと、前記貯蔵室の右側壁に垂直に配設され、冷気を前記貯蔵室の右側から前記ドアー方向に吐出させ、複数個の冷気吐出口が前記ドアーに隣接した位置に形成される右側ダクトカバーを有する右側冷気ダクトと、前記貯蔵室の後方側に配設され、前記貯蔵室の後方から前記ドアー方向に冷気を吐出させる後方冷気ダクトと、冷凍システムから生成された冷気を前記貯蔵室に送風させる送風手段と、該送風手段によって送風される冷気をそれら左側冷気ダクト、右側冷気ダクト及び後方冷気ダクトに分岐して誘導する分岐手段と、を包含して構成されることを特徴とする。